(57)【特許請求の範囲】
【請求項１】
複数の入力ビデオ信号を受信し、該複数の入力ビデオ信号を混合して、１つの出力ビデオ信号を生成するビデオ信号混合装置において、
上記入力ビデオ信号とそれに対応するグランド信号を受信し、該入力ビデオ信号とグランド信号間の差分を表す差動信号をそれぞれ生成する複数の受信手段と、
上記複数の受信手段からの各差動信号を所定の比率で混合して、上記出力ビデオ信号を生成する混合手段とを備えるビデオ信号混合装置。
【請求項２】
上記混合手段は、上記複数の差動信号にそれぞれ対応した複数の制御信号を受信することを特徴とする請求項１記載のビデオ信号混合装置。
【請求項３】
上記複数の制御信号は、それぞれ対応する差動信号の出力ビデオ信号における比率を表すことを特徴とする請求項２記載のビデオ信号混合装置。
【請求項４】
上記制御信号によって特定される比率の和は、上記出力ビデオ信号の全体を表すことを特徴とする請求項３記載のビデオ信号混合装置。
【請求項５】
上記混合手段に接続され、上記出力ビデオ信号を差動信号からシングルエンドの信号に変換する変換手段を更に備える請求項１記載のビデオ信号混合装置。
【請求項６】
上記の複数の受信手段のそれぞれは、上記入力ビデオ信号とグランド信号間の差分を表す差動信号を生成するトランスコンダクタンス増幅手段を備えることを特徴とする請求項１記載のビデオ信号混合装置。
【請求項７】
上記混合手段は、ギルバートセルを備えることを特徴とする請求項６記載のビデオ信号混合装置。
【請求項８】
複数の入力ビデオ信号を混合して、１つの出力ビデオ信号を生成するビデオ信号混合方法において、
上記複数の入力ビデオ信号とそれぞれのグランド信号を受信するステップと、
上記入力ビデオ信号とそれに対応するグランド信号間の差分を表す差動信号を、該複数の入力ビデオ信号毎に生成するステップと、
上記複数の差動信号を所定の比率で混合して、上記出力ビデオ信号を生成するステップとを有するビデオ信号混合方法。
【請求項９】
上記出力ビデオ信号は、差動信号であることを特徴とする請求項８記載のビデオ信号混合方法。
【請求項１０】
上記複数の差動信号の出力ビデオ信号におけるそれぞれの比率を表す、該複数の差動信号にそれぞれ対応した複数の制御信号を受信するステップとを更に有する請求項９記載のビデオ信号混合方法。
【請求項１１】
上記出力ビデオ信号を差動信号からシングルエンドの信号に変換するステップを更に有する請求項１０記載のビデオ信号混合方法。
【請求項１２】
第１の入力ビデオ信号及びそれに対応する第１のグランド信号と、第２の入力ビデオ信号及びそれに対応する第２のグランド信号とを受信し、該第１の入力ビデオ信号と第２の入力ビデオ信号を混合して、出力ビデオ信号を生成するビデオ信号混合装置において、
上記第１の入力ビデオ信号とそれに対応する第１のグランド信号を受信し、該第１の入力ビデオ信号とそれに対応する第１のグランド信号間の差分を表す第１の差動信号を生成する第１のトランスコンダクタンス増幅手段と、
上記第２の入力ビデオ信号とそれに対応する第２のグランド信号を受信し、該第２の入力ビデオ信号とそれに対応する第２のグランド信号間の差分を表す第２の差動信号を生成する第２のトランスコンダクタンス増幅手段と、
上記第１及び第２のトランスコンダクタンス増幅手段からの第１の差動信号と第２の差動信号を所定の比率で混合して、上記出力ビデオ信号を生成する混合手段とを備えるビデオ信号混合装置。
【請求項１３】
上記混合手段は、上記第１の入力ビデオ信号の出力ビデオ信号における比率を表す第１の制御信号と、上記第２の入力ビデオ信号の出力ビデオ信号における比率を表す第２の制御信号とを受信することを特徴とする請求項１２記載のビデオ信号混合装置。
【請求項１４】
上記混合手段は、ギルバートセルを備えることを特徴とする請求項１３記載のビデオ信号混合装置。
【請求項１５】
複数のビデオ入力信号を受信して、出力コンポジットビデオ信号を生成するビデオ表示装置において、
アナログ入力ビデオ信号とそのグランド信号を受信し、該アナログ入力ビデオ信号とそのグランド信号間の差分を表すアナログ差動信号を生成するアナログ入力ビデオ受信手段と、
ディジタル入力ビデオ信号とそのグランド信号を受信し、該ディジタル入力ビデオ信号とそのグランド信号間の差分を表すディジタル差動信号を生成するディジタル入力ビデオ受信手段と、
上記アナログ差動信号の出力コンポジットビデオ信号における比率を表すアナログ制御信号と、上記ディジタル差動信号の出力コンポジットビデオ信号における比率を表すディジタル制御信号とを受信し、該アナログ制御信号と該ディジタル制御信号によって特定される比率で該アナログ差動信号及びディジタル差動信号を混合して、１つの出力コンポジットビデオ信号を生成する混合手段とを備えるビデオ表示装置。
【請求項１６】
上記混合手段は、ギルバートセルを備えることを特徴とする請求項１５記載のビデオ表示装置。
【請求項１７】
上記混合手段からの出力コンポジットビデオ信号を、差動信号からシングルエンドの信号に変換する変換手段を更に備える請求項１６記載のビデオ表示装置。
【請求項１８】
上記アナログ入力ビデオ受信手段は、上記アナログ差動信号を生成するトランスコンダクタンス増幅手段を備えることを特徴とする請求項１７記載のビデオ表示装置。
【請求項１９】
上記ディジタル入力ビデオ受信手段は、上記ディジタル差動信号を生成するトランスコンダクタンス増幅手段を備えることを特徴とする請求項１８記載のビデオ表示装置。
【発明の詳細な説明】
【０００１】
【発明の属する技術分野】
本発明は、ビデオ信号混合方法、ビデオ信号混合装置及びビデオ表示装置に関する。特に、本発明は、異なる複数の集積回路からの入力ビデオ信号を、所定の比率で混合して、出力ビデオ信号を生成するビデオ信号混合装置等に関する。
【０００２】
【従来の技術】
図６に示すように、混合回路１０は、２つの入力信号Ｉ１、Ｉ２を所定の比率で混合して、出力信号OUTを生成する。２つの入力信号Ｉ１、Ｉ２の混合は、入力信号Ｉ１、Ｉ２の比率を定める制御信号CONTによって制御される。すなわち、入力信号Ｉ１、Ｉ２が混合回路１０に入力される。２つの入力信号Ｉ１、Ｉ２の混合率を制御するための制御信号CONTも、混合回路１０に入力される。混合回路１０は、制御信号CONTによって特定される所定の比率で２つの入力信号Ｉ１、Ｉ２を混合して、入力信号Ｉ１、Ｉ２が混合された出力信号OUTを出力する。このようにして、混合回路１０は、２つの入力信号Ｉ１、Ｉ２を混合して、１つの出力信号OUTを出力する。
【０００３】
【発明が解決しようとする課題】
２つの入力信号Ｉ１、Ｉ２の一方又は両方が、別の集積回路から混合回路１０に供給されるときには、出力信号OUTに誤差を生じ、あるいは出力信号OUTを歪ませるノイズが出力信号OUTに入る。このノイズが発生する理由は、入力信号Ｉ１、Ｉ２が別々の集積回路から供給されて混合されるときには、入力信号Ｉ１、Ｉ２の各レベルがそれぞれ異なるアース電位を基準にしているからである。混合回路１０は、独自の基準となるアース電位（以下、グランド信号という。）を有している。入力信号Ｉ１、Ｉ２の各々に対応するグランド信号は、混合回路１０のグランド信号とは異なることがある。したがって、入力信号Ｉ１、Ｉ２の各レベルは、それら自身のグランド信号に対しては適正であるが、混合回路１０のグランド信号に対しては誤差を生じることがある。したがって、入力信号Ｉ１、Ｉ２が混合回路１０によって混合され、出力信号OUTが生成されるときには、各入力信号Ｉ１、Ｉ２のグランド信号が異なることにより、出力信号OUTにノイズ又は歪みが生じる。このノイズ又は歪みは、出力信号OUTの信号品質を低下させる。
【０００４】
本発明は、上述した実情に鑑みてなされたものであり、本発明の目的は、別の集積回路から複数の入力信号が供給され、これらの入力信号を混合して、出力信号を生成する際に、別の集積回路からの入力信号が供給されることに起因したノイズが出力信号に生じることを防止できるビデオ信号混合装置及び方法、並びにビデオ表示装置を提供することである。
【０００５】
【課題を解決するための手段】
本発明に係るビデオ信号混合装置は、複数の入力ビデオ信号を受信し、複数の入力ビデオ信号を混合して、１つの出力ビデオ信号を生成するビデオ信号混合装置において、入力ビデオ信号とそれに対応するグランド信号を受信し、入力ビデオ信号とグランド信号間の差分を表す差動信号をそれぞれ生成する複数の受信手段と、複数の受信手段からの各差動信号を所定の比率で混合して、出力ビデオ信号を生成する混合手段とを備える。
【０００６】
本発明に係るビデオ信号混合方法は、複数の入力ビデオ信号を混合して、１つの出力ビデオ信号を生成するビデオ信号混合方法において、複数の入力ビデオ信号とそれぞれのグランド信号を受信するステップと、入力ビデオ信号とそれに対応するグランド信号間の差分を表す差動信号を、複数の入力ビデオ信号毎に生成するステップと、複数の差動信号を所定の比率で混合して、出力ビデオ信号を生成するステップとを有する。
【０００７】
本発明に係るビデオ信号混合装置は、第１の入力ビデオ信号及びそれに対応する第１のグランド信号と、第２の入力ビデオ信号及びそれに対応する第２のグランド信号とを受信し、第１の入力ビデオ信号と第２の入力ビデオ信号を混合して、出力ビデオ信号を生成するビデオ信号混合装置において、第１の入力ビデオ信号とそれに対応する第１のグランド信号を受信し、第１の入力ビデオ信号とそれに対応する第１のグランド信号間の差分を表す第１の差動信号を生成する第１のトランスコンダクタンス増幅手段と、第２の入力ビデオ信号とそれに対応する第２のグランド信号を受信し、第２の入力ビデオ信号とそれに対応する第２のグランド信号間の差分を表す第２の差動信号を生成する第２のトランスコンダクタンス増幅手段と、第１及び第２のトランスコンダクタンス増幅手段からの第１の差動信号と第２の差動信号を所定の比率で混合して、出力ビデオ信号を生成する混合手段とを備える。
【０００８】
本発明に係るビデオ表示装置は、複数のビデオ入力信号を受信して、出力コンポジットビデオ信号を生成するビデオ表示装置において、アナログ入力ビデオ信号とそのグランド信号を受信し、アナログ入力ビデオ信号とそのグランド信号間の差分を表すアナログ差動信号を生成するアナログ入力ビデオ受信手段と、ディジタル入力ビデオ信号とそのグランド信号を受信し、ディジタル入力ビデオ信号とそのグランド信号間の差分を表すディジタル差動信号を生成するディジタル入力ビデオ受信手段と、アナログ差動信号の出力コンポジットビデオ信号における比率を表すアナログ制御信号と、ディジタル差動信号の出力コンポジットビデオ信号における比率を表すディジタル制御信号とを受信し、アナログ制御信号と該ディジタル制御信号によって特定される比率でアナログ差動信号及びディジタル差動信号を混合して、１つの出力コンポジットビデオ信号を生成する混合手段とを備える。
【０００９】
そして、これらのビデオ信号混合装置及び方法、並びにビデオ表示装置は、複数の入力信号を所定の比率で混合して、１つの出力信号に変換するものであり、その出力信号内にノイズが発生するのを防止するようになっている。本発明に係るビデオ信号混合装置には、複数の入力信号とそれらの各グランド信号が入力される。このビデオ信号混合装置では、入力信号毎にグランド信号が異なるために出力信号内の生じるノイズを、入力信号とグランド信号の差動信号を別々に標準的なギルバートセルに通過させることによって、除去する。混合制御信号は、ギルバートセルに制御入力として供給され、出力信号に含まれる入力信号の混合比を制御する。ギルバートセルは、差動入力信号が供給され、制御信号によって表される入力信号の所定の混合比に従って差動出力信号を出力する。差動出力信号はシングルエンドの出力信号に変換される。各差動入力信号は、トランスコンダクタンス増幅器により生成され、ギルバートセル内の差動増幅回路に供給される。また、その出力信号は、各トランスコンダクタンス増幅器にフィードバックされる。
【００１０】
【発明の実施の形態】
以下、本発明に係るビデオ信号混合装置の実施の形態について、図面を参照しながら説明する。なお、以下の実施の形態では、本発明は、ビデオ表示装置における混合回路に適用されている。
【００１１】
図１は、本発明を適用したビデオ表示装置の回路構成を示すブロック図である。
【００１２】
入力端子２０を介して入力されるアナログフォーマットの（以下、単にアナログという。）コンポジットビデオ信号は、アナログ復調器２２に供給される。アナログ復調器２２の出力は、アナログコンポジットビデオ信号CVInRとして、ビデオ／グラフィックスオーバレイ集積回路４０に供給される。入力端子２４を介して入力されるディジタルフォーマットの（以下、単にディジタルという。）ビデオ信号は、ディジタル復調器２６に入力される。ディジタル復調器２６の出力は、ディジタルオーバレイ制御回路２８に供給される。ディジタルオーバレイ制御回路２８からのビデオ／グラフィックスデータは、ディジタルエンコーダ集積回路３０に供給される。ディジタルオーバレイ制御回路２８からの混合制御信号MIXCONTは、ビデオ／グラフィックスオーバレイ集積回路４０に供給される。電圧制御発振器（以下、ＶＣＸＯという。）３２は、システムクロック信号をディジタルオーバレイ制御回路２８及びディジタルエンコーダ集積回路３０に供給する。このＶＣＸＯ３２は、ビデオ／グラフィックスオーバレイ集積回路４０からの制御信号VCXOCONTによって制御される。ディジタルエンコーダ集積回路３０は、ディジタルオーバレイ制御回路２８から供給されるビデオ／グラフィックスデータをエンコードして、アナログコンポジットビデオ信号CVInd、あるいは輝度信号Ｙ及び色差信号Ｃ（Ｓ−ビデオ信号）に変換する。そして、ディジタルエンコーダ集積回路３０は、アナログコンポジットビデオ信号CVInd、あるいは色差信号Ｃ及び輝度信号Ｙを、ビデオ／グラフィックスオーバレイ集積回路４０に供給する。ビデオ／グラフィックスオーバレイ集積回路４０は、制御信号VReset、水平リセット信号HReset、位相制御信号VPWMをディジタルエンコーダ集積回路３０に供給する。なお、ディジタルエンコーダ集積回路３０及びビデオ／グラフィックスオーバレイ集積回路４０は、それぞれ別の集積回路から構成されている。
【００１３】
本発明を適用したビデオ／グラフィックスオーバレイ集積回路４０は、アナログ復調器２２から供給されるアナログコンポジットビデオ信号CVInRと、ディジタルエンコーダ集積回路３０から供給されるアナログコンポジットビデオ信号CVIndとを混合し、所定のフォーマットのコンポジットビデオ信号CVoutを出力する。この出力コンポジットビデオ信号CVoutは、例えばテレビジョン受像機のような表示装置に供給される。また、ビデオ／グラフィックスオーバレイ集積回路４０は、Ｙ／Ｃフォーマット（ディジタル）のビデオ信号を出力する。具体的には、ディジタルエンコーダ集積回路３０から、Ｙ／Ｃフォーマットのビデオ信号が供給されると、ビデオ／グラフィックスオーバレイ集積回路４０は、輝度信号Ｙ及び色差信号Ｃをそのままディジタルフォーマットのビデオ信号Y/Coutとして出力する。
【００１４】
したがって、ディジタルフォーマットのビデオ信号Y/Coutは、ディジタルビデオデータ、グラフィックスデータ、あるいはその両方から成る。好ましい実施の形態では、出力コンポジットビデオ信号CVoutは、アナログビデオ信号のみの情報、グラフィックス付きアナログビデオ信号の情報、ディジタルビデオ信号のみの情報、グラフィックス付きディジタルビデオ信号の情報、又はグラフィックスのみの情報を含む。出力コンポジットビデオ信号CVoutの内容と混合比率は、ディジタルオーバレイ制御回路２８から供給される混合制御信号MIXCONTによって制御される。
【００１５】
すなわち、ディジタルエンコーダ集積回路３０は、ディジタルビデオ信号及びグラフィックスデータをアナログコンポジットビデオ信号に変換し、得られるアナログコンポジットビデオ信号CVIndをビデオ／グラフィックスオーバレイ集積回路４０に供給する。ビデオ／グラフィックスオーバレイ集積回路４０は、アナログ復調器２２から供給されるアナログコンポジットビデオ信号CVInRと、ディジタルエンコーダ集積回路３０でアナログ信号に変換されたディジタルコンポジット信号、すなわちアナログコンポジットビデオ信号CVIndとを、混合制御信号MIXCONTで特定される混合比率で混合し、アナログビデオ信号の情報及びディジタルビデオ信号の情報の両方を含むコンポジットビデオ信号CVoutを出力する。
【００１６】
ここで、出力コンポジットビデオ信号CVoutの歪みを防止し、モニタ受像機等に表示されるビデオグラフィックスの色が適正となるようにするためには、ディジタル信号として入力されたアナログコンポジット（以下、単にディジタル入力ともいう。）ビデオ信号CVIndの位相と、元々アナログ信号として入力されたアナログコンポジット（以下、単に、アナログ入力ともいう。）ビデオ信号CVInRの位相とを合わせなければならない。したがって、本発明を適用したビデオ表示装置では、後で説明するように、ディジタル入力ビデオ信号CVIndのバースト信号の周波数及び位相を、アナログ入力ビデオ信号CVInRのバースト信号の周波数及び位相にロックするために、ビデオ／グラフィックスオーバレイ集積回路４０とディジタルエンコーダ集積回路３０の両方に、位相補正回路を使用している。
【００１７】
上述したように、純粋なアナログビデオ信号だけが、ビデオ／グラフィックスオーバレイ集積回路４０から出力されるときは、アナログ入力ビデオ信号CVInRは、ビデオ／グラフィックスオーバレイ集積回路４０を通過し、すなわちいかなる混合やエンコードもされずに、コンポジットビデオ信号CVoutとして出力される。一方、純粋なディジタル信号、純粋なグラフィックス信号、又はディジタル信号とグラフィックス信号の混合信号が、ビデオ／グラフィックスオーバレイ集積回路４０から出力されるときは、ディジタルエンコーダ集積回路３０から供給されるディジタル入力ビデオ信号CVIndは、ビデオ／グラフィックスオーバレイ集積回路４０を通過し、すなわち他の信号と混合されることなく、コンポジットビデオ信号CVoutとして出力される。また、出力コンポジットビデオ信号CVoutが、混合制御信号MIXCONTによってアナログ入力ビデオ信号CVInR及びディジタル入力ビデオ信号CVIndの所定の一部を含むときは、アナログ入力ビデオ信号CVInRとディジタル入力ビデオ信号CVIndは、ビデオ／グラフィックスオーバレイ集積回路４０において合成又は混合され、コンポジットビデオ信号CVoutとして出力される。
【００１８】
混合制御信号MIXCONTは、３つの信号Ｍ０、Ｍ１、αからなり、混合制御信号Ｍ０、Ｍ１は、出力コンポジットビデオ信号CVoutの内容を特定し、混合比αは、出力コンポジットビデオ信号CVoutに対するアナログ入力ビデオ信号CVInRの比率を表している。なお、入力されるディジタルビデオ信号とグラフィックス信号の合成は、ディジタルオーバレイ制御回路２８によって行われ、ビデオ／グラフィックスデータとしてディジタルエンコーダ集積回路３０に供給される。以下の表１は、出力コンポジットビデオ信号CVoutに対する混合制御信号Ｍ０、Ｍ１、混合比αの関係を示している。
【００１９】
【表１】
0003989981.tif 000002
【００２０】
表１に示すように、混合制御信号Ｍ０、Ｍ１の両方が、論理的にロー（Ｌ）レベルのときは、出力コンポジットビデオ信号CVoutは、α倍のアナログ入力ビデオ信号CVInRと、（１−α）倍のディジタル入力ビデオ信号CVIndとを加算したものである。混合制御信号Ｍ０が論理的にハイ（Ｈ）レベルで、混合制御信号Ｍ１が論理的にローレベルのときは、出力コンポジットビデオ信号CVoutは、アナログ入力ビデオ信号CVInRだけからなる。混合制御信号Ｍ０が論理的にローレベルで、混合制御信号Ｍ１が論理的にハイレベルのときは、出力コンポジットビデオ信号CVoutは、ディジタル入力ビデオ信号CVIndだけからなる。
【００２１】
ここで、ビデオ／グラフィックスオーバレイ集積回路４０内の混合を行う回路の構成について、図２を参照しながら説明する。この図２に示すように、ビデオ／グラフィックスオーバレイ集積回路４０は、混合制御回路４２と、混合回路４４と、バッファ／クランピング回路４６、４８とを備える。
【００２２】
混合制御回路４２は、ディジタルオーバレイ制御回路２８から入力される混合制御信号Ｍ０、Ｍ１及び混合比αに従って、制御信号ContR、ContDを生成し、混合回路４４に供給する。制御信号ContRは、混合比αに相当し、アナログ入力ビデオ信号CVInRの出力コンポジットビデオ信号CVoutにおける比率を表す。制御信号ContDは、（１−α）に相当し、ディジタル入力ビデオ信号CVIndの出力コンポジットビデオ信号CVoutにおける比率を表す。
【００２３】
バッファ／クランピング回路４６には、アナログ復調器２２からアナログ入力ビデオ信号CVInRが供給されている。バッファ／クランピング回路４８には、ディジタルエンコーダ集積回路３０からディジタル入力ビデオ信号CVIndが供給されている。そして、バッファ／クランピング回路４６は、アナログ入力ビデオ信号CVInRを、例えばそのブランキングレベルが２ボルトとなるようにクランプして、混合回路４４に供給し、バッファ／クランピング回路４８は、同様に、ディジタル入力ビデオ信号CVIndをクランプして混合回路４４に供給する。混合回路４４は、アナログ入力ビデオ信号CVInRとディジタル入力ビデオ信号CVIndを混合して、コンポジットビデオ信号CVoutを生成して、出力する。
【００２４】
次に、混合回路４４及びバッファ／クランピング回路４６、４８の具体的な構成について、図３を参照しながら説明する。なお、図２に示す構成要素と同じ構成要素には、同じ符号を付している。
【００２５】
図１に示すアナログ復調器２２からのアナログ入力ビデオ信号CVInRは、バッファ／クランピング回路４６内の抵抗器Ｒ１の第１の端子に入力される。抵抗器Ｒ１の第２の端子は、抵抗器Ｒ２の第１の端子に接続されているとともに、トランスコンダクタンス増幅器６０の反転入力端子に接続されている。抵抗器Ｒ２の第２の端子は、混合回路４４のアースに接続されており、すなわち、この第２の端子には、混合回路４４のアース電位を示すグランド信号Vrefが供給されている。図１に示すディジタルエンコーダ集積回路３０からのディジタル入力ビデオ信号CVIndは、バッファ／クランピング回路４８内の抵抗器Ｒ５の第１の端子に入力される。抵抗器Ｒ５の第２の端子は、抵抗器Ｒ６の第１の端子に接続されているとともに、トランスコンダクタンス増幅器６２の反転入力端子に接続されている。抵抗器Ｒ６の第２の端子は、混合回路４４のアースに接続されており、すなわち、この第２の端子には、混合回路４４のアース電位を示すグランド信号Vrefが供給されている。
【００２６】
アナログ入力ビデオ信号CVInRに対応したグランド信号CVInR Retは、バッファ／クランピング回路４６内の抵抗器Ｒ４の第１の端子に入力される。すなわち、アナログ復調器２２のアース電位を示すグランド信号CVInR Retは、アナログ復調器２２からのアナログ入力ビデオ信号CVInRと共に、混合回路４４（ビデオ／グラフィックスオーバレイ集積回路４０）に入力される。抵抗器Ｒ４の第２の端子は、トランスコンダクタンス増幅器６０の非反転入力端子及び抵抗器Ｒ３の第１の端子に接続されている。ディジタル入力ビデオ信号CVIndに対応したグランド信号CVInd Retは、バッファ／クランピング回路４８内の抵抗器Ｒ８の第１の端子に入力されている。すなわち、ディジタルエンコーダ集積回路３０のアース電位を示すグランド信号CVInd Retは、ディジタルエンコーダ集積回路３０からのディジタル入力ビデオ信号CVIndと共に、混合回路４４（ビデオ／グラフィックスオーバレイ集積回路４０）に入力される。抵抗器Ｒ８の第２の端子は、トランスコンダクタンス増幅器６２の非反転入力端子及び抵抗器Ｒ７の第１の端子に接続されている。
【００２７】
トランスコンダクタンス増幅器６０は、アナログ入力ビデオ信号CVInRを増幅し、得られる差動形式の差動信号を、混合回路４４内のギルバートセル混合回路７０を構成するｎｐｎトランジスタ（以下、単に、トランジスタともいう。）Ｑ１、Ｑ２の各ベースに供給する。トランスコンダクタンス増幅器６２は、ディジタル入力ビデオ信号CVIndを増幅し、得られる差動形式の差動信号を、ギルバートセル混合回路７０を構成するｎｐｎトランジスタＱ３、Ｑ４の各ベースに供給する。ギルバートセル混合回路７０は、例えば２つの差動信号を混合する標準的なギルバートセルからなり、図２に示す混合制御回路４２から供給される制御信号ContR、ContDによって特定される比率で、トランスコンダクタンス増幅器６０、６２からの各差動信号を混合し、差動信号を出力する。なお、トランジスタＱ１、Ｑ２は、差動増幅器を構成しており、トランジスタＱ３、Ｑ４も差動増幅器を構成している。
【００２８】
トランジスタＱ１のコレクタは、トランジスタＱ４のコレクタ及び差動増幅器６４の入力端子に接続されており、また、抵抗器Ｒ９を介して電圧供給源ＶＣＣにも接続されている。トランジスタＱ２のコレクタは、トランジスタＱ３のコレクタ及び差動増幅器６４の入力端子に接続されており、また、抵抗器Ｒ１０を介して電圧供給源ＶＣＣにも接続されている。トランジスタＱ１のエミッタは、トランジスタＱ２のエミッタ及びｎｐｎトランジスタＱ５のコレクタに接続されている。トランジスタＱ５のエミッタは、抵抗器Ｒ１１の第１の端子に接続されている。図２に示す混合制御回路４２は、制御信号ContRをトランジスタＱ５のベースに供給している。
【００２９】
トランジスタＱ３のエミッタは、トランジスタＱ４のエミッタ及びｎｐｎトランジスタＱ６のコレクタに接続されている。トランジスタＱ６のエミッタは、抵抗器Ｒ１２の第１の端子に接続されている。図２に示す混合制御回路４２からの制御信号ContDは、トランジスタＱ６のベースに入力されている。抵抗器Ｒ１１の第２の端子は、抵抗器Ｒ１２の第２の端子及び定電流源７２の第１の端子に接続されている。定電流源７２の第２の端子は接地されている。
【００３０】
差動増幅器６４は、ギルバートセル混合回路７０からの差動信号を増幅し、シングルエンドの信号を出力ドライバ回路６６に供給し、出力ドライバ回路６６は増幅されたシングルエンドの信号、すなわち図２に示す混合回路４４の出力信号であるコンポジットビデオ信号CVoutを出力する。また、出力ドライバ回路６６の出力は、それぞれ抵抗器Ｒ３、Ｒ７を介して、トランスコンダクタンス増幅器６０、６２の非反転入力端子にフィードバックされる。
【００３１】
アナログ入力ビデオ信号CVInRは、対応するグランド信号CVInR Retに対しては正確であるが、混合回路４４のグランド信号Vrefに対してはその正確さは保証されない。ディジタル入力ビデオ信号CVIndは、対応するグランド信号CVInd Retに対しては正確であるが、混合回路４４のグランド信号Vrefに対してはその正確さは保証されない。これらの理由により、従来の装置では、コンポジットビデオ信号CVoutにノイズが発生していたが、本発明を適用した混合回路４４では、ノイズの発生を防止するために、アナログ入力ビデオ信号CVInRとグランド信号CVInR Retの差分と、ディジタル入力ビデオ信号CVIndとグランド信号Ret CVInd Retの差分とを混合して、コンポジットビデオ出力信号CVoutを生成するようにしている。各入力コンポジットビデオ信号を、それぞれのグランド信号との差動信号として混合することにより、混合されるコンポジットビデオ信号のそれぞれのグランド信号の相違に起因するノイズを除去する。また、混合回路４４は、制御信号ContR、ContDによって特定された比率で、アナログコンポジットビデオ信号CVInR、CVIndを混合する。混合された信号は、差動増幅器６４及び出力ドライバ回路６６を介し、コンポジットビデオ信号CVoutとして出力される。
【００３２】
ギルバートセル混合回路７０の内部において、トランジスタＱ１、Ｑ２は、トランスコンダクタンス増幅器６０から供給されるアナログ入力ビデオ信号CVInRとそのグランド信号CVInR Retとの差動信号が入力される差動増幅器を構成している。トランジスタＱ３、Ｑ４は、トランスコンダクタンス増幅器６２から供給されるディジタル入力ビデオ信号CVIndとそのグランド信号CVInd Retとの差動信号が入力される差動増幅器を構成している。
【００３３】
出力コンポジットビデオ信号CVoutに変換（混合）される各アナログコンポジットビデオ信号CVInR、CVIndに対して、混合回路４４、バッファ／クランピング回路４６、４８等を組み合わせた回路は、フィードバックパスを有する２つの演算増幅器と等価である。図４は、アナログ入力ビデオ信号CVInRに対する等価回路を示している。ここで、図３に示す抵抗器Ｒ１、Ｒ２、Ｒ３、Ｒ４と同じ抵抗器には同じ符号を付している。図４に示すように、この等価回路は、図３に示すトランスコンダクタンス増幅器６０、ギルバートセル混合回路７０、差動増幅器６４及び出力ドライバ回路６６からなる演算増幅器を備え、好ましい実施の形態では、抵抗器Ｒ３、Ｒ４の各抵抗値は、それぞれ抵抗器Ｒ１、Ｒ２の各抵抗値に等しく、この等価回路の入出力の関係は、次の式によって表される。
【００３４】
CVout＝Ｒ１／Ｒ２×（CVInR−CVInR Ret）
この式に示すように、出力コンポジットビデオ信号CVoutは、アナログ入力ビデオ信号CVInRからグランド信号CVInR Retを減算することにより得られることから、コモンモードノイズがキャンセルされ、混合回路４４のＳ／Ｎ比は、従来の装置に比して大幅に改善される。また、ディジタル入力ビデオ信号CVIndに対する等価回路も同様に動作し、コモンモードノイズをキャンセルすることができ、Ｓ／Ｎ比を大幅に改善することができる。また、好ましい実施の形態では、ディジタル入力ビデオ信号CVIndに対する等価回路は、図３に示すトランスコンダクタンス増幅器６２、ギルバートセル混合回路７０、差動増幅器６４及び出力ドライバ回路６６からなる演算増幅器を備え、抵抗器Ｒ７、Ｒ８の抵抗値は、それぞれ抵抗器Ｒ５、Ｒ６の抵抗値に等しい。
【００３５】
トランジスタＱ５、Ｑ６から構成される差動対は、トランジスタＱ１、Ｑ２から構成される入力の差動対と、トランジスタＱ３、Ｑ４から構成される入力の差動対との動作を制御することにより、出力コンポジットビデオ信号CVoutにおけるアナログコンポジットビデオ信号CVInR、CVIndの混合比を制御する。すなわち、混合制御回路４２から出力される制御信号ContRは、混合比αを表し、アナログ入力ビデオ信号CVInRの出力コンポジットビデオ信号CVoutにおける比率を制御し、混合制御回路４２から出力される制御信号ContDは、混合比（１−α）を表し、ディジタル入力ビデオ信号CVIndの出力コンポジットビデオ信号CVoutにおける比率を制御する。ここで、制御信号ContRによって特定される比率と、制御信号ContDによって特定される比率との和は、コンポジットビデオ信号CVoutの全体量を表している。トランジスタＱ１、Ｑ２から構成される差動対は、制御信号ContRに基づいたレベルの信号を出力し、トランジスタＱ３、Ｑ４から構成される差動対は、制御信号ContDに基づいたレベルの信号を出力する。すなわち、ギルバートセル混合回路７０は、制御信号ContR、ContDによってその混合比が制御され、アナログコンポジットビデオ信号CVInR、CVIndを混合し、混合された信号を差動信号として差動増幅器６４に供給する。差動増幅器６４は、ギルバートセル混合回路７０から供給される差動信号を、シングルエンドの信号に変換して、出力ドライバ回路６６に供給し、出力ドライバ回路６６は、アナログコンポジットビデオ信号CVInR、CVIndが混合されたコンポジットビデオ信号CVoutを出力する。
【００３６】
ここで、図３に示す混合回路４４の具体的な回路構成について説明する。
【００３７】
図５に示すように、図３に示すトランスコンダクタンス増幅器６０は、トランジスタＱ１１〜Ｑ１６等から構成される。また、トランスコンダクタンス増幅器６２は、トランジスタＱ２１〜Ｑ２６等から構成される。ギルバートセル混合回路７０は、トランジスタＱ１〜Ｑ７等から構成され、図３に対応する電気部品には、同じ符号を付している。差動増幅器６４は、トランジスタＱ３１〜Ｑ３４等から構成される。そして、これらの回路の動作は、図３を用いて説明した動作と同じであるので、説明は省略する。
【００３８】
以上の説明で明らかなように、本発明を適用した混合回路４４では、アナログ入力ビデオ信号CVInRとそのグランド信号CVInR Retの差動信号をトランスコンダクタンス増幅器６０によって求め、また、ディジタル入力コンポジット信号CVIndとそのグランド信号CVInd Retの差動信号とトランスコンダクタンス増幅器６２よって求め、これらの差動信号をギルバートセル混合回路７０によって混合し、出力コンポジットビデオ信号CVoutを生成することにより、コモンモードノイズをキャンセルすることができ、従来の装置に比して、Ｓ／Ｎ比を大幅に改善することができる。
【００３９】
なお、上述した実施例では、バイポーラトランジスタの集積回路を例として説明したが、本発明は、上述の実施例に限定されるものではない。例えば、本発明をＣＭＯＳ、ＭＯＳ、ＥＣＬ、ディスクリート回路に適用できることは言うまでもない。また、上述した実施例では、２つの信号の混合を具体例として説明したが、複数の入力信号を混合する場合にも、本発明を適用することができる。
【００４０】
また、本発明の趣旨と特許請求範囲から逸脱することなく、様々な変更が可能であることは明らかである。
【００４１】
【発明の効果】
以上の説明から明らかなように、本発明では、例えば互いに別の集積回路から複数の入力ビデオ信号とそれぞれのグランド信号を受信し、入力ビデオ信号とそれに対応するグランド信号間の差分を表す差動信号を、複数の入力ビデオ信号毎に生成する。そして、複数の差動信号を所定の比率に基づいて混合して、出力ビデオ信号を生成することにより、個々の集積回路のグランド信号レベルが異なっても、これに起因したノイズの発生を防止することができる。
【図面の簡単な説明】
【図１】  本発明を適用したビデオ表示装置の構成を示すブロック図である。
【図２】  ビデオ／グラフィックスオーバレイ集積回路の構成を示すブロック図である。
【図３】  混合回路の構成を示すブロック図である。
【図４】  上記混合回路の等価回路である。
【図５】  上記混合回路の具体的な回路構成を示す図である。
【図６】  従来の混合回路を示す図である。
【符号の説明】
６０  トランスコンダクタンス増幅器、６２  トランスコンダクタンス増幅器、６４  差動増幅器、６６  出力ドライバ回路、７０  ギルバートセル混合回路、７２  定電流源、Ｑ１、Ｑ２、Ｑ３、Ｑ４、Ｑ５、Ｑ６  トランジスタ、Ｒ１、Ｒ２、Ｒ３、Ｒ４、Ｒ５、Ｒ６、Ｒ７、Ｒ８、Ｒ９、Ｒ１０、Ｒ１１、Ｒ１２  抵抗器
【図１】
0003989981.tif 000003
【図２】
0003989981.tif 000004
【図３】
0003989981.tif 000005
【図４】
0003989981.tif 000006
【図５】
0003989981.tif 000007
【図６】
0003989981.tif 000008